(57)【要約】【課題】通風性、採光性および目隠し性に優れた目隠しルーバーを提供することである。【解決手段】方形状の枠体１の対向一対の縦框２間にパンチングメタルからなる複数の外パネル２０を上下方向に等間隔に設け、隣接する外パネル２０の対向部間に光拡散性樹脂板からなる化粧パネル３０を設ける。複数の外パネル２０のそれぞれ背部に間隔をおいて光拡散性樹脂板からなる内パネル４０を設け、外パネル２０の孔２１から入射する光を内パネル４０により拡散させ、一方、化粧パネル３０への入射光もその化粧パネル３０で拡散させて、屋内側に光を採り込み、また、外パネル２０の孔２１および外パネル２０と化粧パネル３０の対向部間に形成された隙間から入り込む風を化粧パネル３０と内パネル４０の対向部間に形成された隙間から屋内側に採り込むようにする。【選択図】図２
2011006854.tif 000002
【特許請求の範囲】
【請求項１】
方形状の枠体と、その枠体の対向一対の縦框間に渡されて上下方向に間隔をおいて設けられたパンチングメタルからなる複数の外パネルと、隣接する外パネルの対向部間に配置された化粧パネルと、前記外パネルとほぼ同じ大きさとされて複数の外パネルのそれぞれ背部に間隔をおいて配置された内パネルとからなり、前記化粧パネルの上部および下部のそれぞれに前記外パネルと内パネル間に間隔をおいて配置されるフランジを設け、その化粧パネルおよび前記内パネルが、光拡散性を有する樹脂板からなる目隠しルーバー。
【請求項２】
前記内パネルに複数のスリット群または多数の小孔群からなる透孔部を設けた請求項１に記載の目隠しルーバー。
【請求項３】
前記内パネルを上下両側縁間の幅方向中央部が上下両側縁より外側に位置するよう湾曲させた請求項１又は２に記載の目隠しルーバー。
【請求項４】
前記化粧パネルの背面側の上下部に、内パネルの外面に沿って上下方向に流れる風を屋内側に誘導する通風ガイド片を設けた請求項１乃至３のいずれかの項に記載の目隠しルーバー。
【請求項５】
枠体の内側に、上下方向に長く延びて上下端部が枠体の上框および下框に連結される複数のストリンガを、そのストリンガに設けられたパネル支持板の外周側面を前側として設け、そのストリンガのパネル支持板のそれぞれ前側に、前記外パネルを支持する複数の係合突片を上下方向に等間隔に設けて、隣接する係合突片間に前記化粧パネルが収容可能な大きさの切欠部を形成し、前記係合突片の上下部に、係合突片の前面と滑らかに連続し、外パネルの上下両側縁に形成された対向一対のフランジの先端の内向き折曲げ片が係合可能な凸円弧状の案内面を設け、前記切欠部の上下部には、前記化粧パネルの上部および下部のフランジが係合可能な係合溝を形成し、前記パネル支持板には、前記係合突片の背部に前記内パネルが挿入されるスロットを形成した請求項１乃至４のいずれかの項に記載の目隠しルーバー。
【発明の詳細な説明】
【技術分野】
【０００１】
この発明は、窓の目隠し用として、あるいは、中・高層住宅の境界塀やベランダのフェンスとして用いることができる目隠しルーバーに関する。
【背景技術】
【０００２】
防犯を目的として、窓の屋外側に面格子を設けることは一般に行なわれている。この面格子においては、採光および通風性に優れているものの、屋内外方向への透視性が高いため、昼夜を問わずプライバシーを侵害されるおそれが極めて高い。
【０００３】
これに対し、特許文献１に記載されているように、左右方向に長く延び、屋外方向に下り勾配をもって傾斜する複数のパネルを上下方向に間隔をおいて設けたルーバーにおいては、透視性が低いため、プライバシーを侵害されるおそれが低い。
【先行技術文献】
【特許文献】
【０００４】
【特許文献１】実開平５−１７０４０号公報
【発明の概要】
【発明が解決しようとする課題】
【０００５】
ところで、上記ルーバーには、特許文献１に記載のように、パネルが固定された固定式ルーバーと、パネルが回動自在に支持された開閉式ルーバーとが存在するが、固定式ルーバーにおいては、遮光性が高いため、屋外の光を屋内に充分に採り入れることができないという不都合がある。
【０００６】
一方、開閉式ルーバーにおいては、屋内からの操作によりパネルを開閉させる必要があり、手数がかかるという不都合がある。
【０００７】
この発明の課題は、通風性、採光性および目隠し性に優れた目隠しルーバーを提供することである。
【課題を解決するための手段】
【０００８】
上記の課題を解決するために、この発明においては、方形状の枠体と、その枠体の対向一対の縦框間に渡されて上下方向に間隔をおいて設けられたパンチングメタルからなる複数の外パネルと、隣接する外パネルの対向部間に配置された化粧パネルと、前記外パネルとほぼ同じ大きさとされて複数の外パネルのそれぞれ背部に間隔をおいて配置された内パネルとからなり、前記化粧パネルの上部および下部のそれぞれに前記外パネルと内パネル間に間隔をおいて配置されるフランジを設け、その化粧パネルおよび前記内パネルが、光拡散性を有する樹脂板からなる構成を採用したのである。
【０００９】
ここで、光拡散性を有する樹脂板とは、樹脂成形されたパネルの表面に、シボ加工やローレット加工、研摩加工等の光拡散処理を施した半透明の樹脂板、あるいは、光拡散材が混合された樹脂の押出し成形等による成形品をいう。
【００１０】
上記の構成からなる目隠しルーバーは、建屋における窓の目隠しとして使用する場合は、その窓の屋外側に取付ける。その場合、内パネルが窓と対向する取付けとする。そのような取付けによって、昼間においては、外パネルの孔から差し込む光は、光拡散性の樹脂板からなる内パネルにより拡散される。
【００１１】
このとき、外パネルと内パネルとの間には間隔が設けられているため、外パネルに形成された孔を通過した光は拡散する状態で内パネルに入射し、その内パネルにより拡散される。このため、屋内から内パネルを見た際、上記孔の輪郭は殆ど映し出されず、内パネルは全体にわたって均一に明るくなる。
【００１２】
一方、光拡散性を有する樹脂板からなる化粧パネルへの入射光も、その化粧パネルにより拡散され、上記光の拡散により、化粧パネルも全体にわたって均一に明るくなる。このため、内パネルと化粧パネルによって陰影のない採光部が形成されることになり、屋内側に防眩性を有する柔らかい多くの光が採り入れられることになる。
【００１３】
ここで、目隠しルーバーに向けて風が吹くと、その風は外パネルの孔および外パネルと化粧パネルとの間に形成された隙間を通過して、内パネルの表面に沿って上下方向に流れ、化粧パネルと内パネルとの間に形成された隙間から屋内側に流れ込む。
【００１４】
ここで、内パネルの上下両側縁間の幅方向中央部が上下両側縁より外側に位置するようその内パネルを湾曲させておくと、その湾曲状表面に沿って風は上下方向にスムーズに流れることになり、多くの風を屋内側に採り込むことができる。また、化粧パネルの背面側の上下部に、内パネルの表面に沿って上下方向に流れる風を屋内側に誘導する通風ガイド片を設けておくと、上記と同様に、多くの風を屋内側に採り込むことができる。
【００１５】
さらに、内パネルに複数のスリット群または多数の小孔群からなる透孔部を設けておくと、その透孔部から屋外の景色を見ることができ、また、風の採り込みをさらに高めることができる。
【００１６】
この発明に係る目隠しルーバーにおいて、枠体の内側に、上下方向に長く延びて上下端部が枠体の上框および下框に連結される複数のストリンガを、そのストリンガに設けられたパネル支持板の外周側面を前側として設け、そのストリンガのパネル支持板のそれぞれ前側に、前記外パネルを支持する複数の係合突片を上下方向に等間隔に設けて、隣接する係合突片間に前記化粧パネルが収容可能な大きさの切欠部を形成し、前記係合突片の上下部に、係合突片の前面と滑らかに連続して、外パネルの上下両側縁に形成された対向一対のフランジの先端の内向き折曲げ片が係合可能な凸円弧状の案内面を設け、前記切欠部の上下部には、前記化粧パネルの上部および下部のフランジが係合可能な係合溝を形成し、前記パネル支持板には、前記係合突片の背部に前記内パネルが挿入されるスロットを形成しておくと、枠体の外部において、外パネル、内パネルおよび化粧パネルのパネル組立体を形成することができる。
【００１７】
そのパネル組立体の形成に際しては、化粧パネルの左右両端部を一対のストリンガのそれぞれに形成された切欠部に嵌合し、かつ、上下のフランジの左右両端部を係合溝に嵌合する。また、内パネルの左右両端部を一対のストリンガのそれぞれに形成されたスロット内に嵌合する。
【００１８】
化粧パネルおよび内パネルの組付け後、左右一対のストリンガを化粧パネルおよび内パネルの長さ方向にスライドさせて、対向間隔を調整し、その調整後において、左右方向に並ぶ係合突片の上下の案内面に外パネルの上下両側縁に形成された対向一対のフランジの先端の内向き折曲げ片を当接して押し込むようにする。その押し込みにより、外パネルの一対のフランジが外方に弾性変形し、そのフランジ間に係合突片が収容される状態まで外パネルを押し込むと、フランジに形成された内向きの折曲げ片が案内面の背部に係合して外パネルを取付けることができ、枠体の外部において、外パネル、内パネルおよび化粧パネルのパネル組立体を簡単に形成することができる。
【００１９】
その結果、そのパネル組立体を枠体内に収容し、ストリンガの上下端部を上框および下框に連結することによって、目隠しルーバーを組立てることができ、目隠しルーバーの組立ての容易化を図ることができる。
【発明の効果】
【００２０】
上記のように、この発明においては、パンチングメタルからなる複数の外パネルのそれぞれ背部に光拡散性を有する樹脂板製の内パネルを設け、隣接する外パネル間に光拡散性を有する樹脂板製の化粧パネルを設けたので、窓への取付けにおいて、その窓を完全に遮蔽することができる。そして、その窓を遮蔽する目隠し状態において、昼間では、外パネルの孔から差し込む光が、そのパネルの背部に間隔をおいて設けられた内パネルにより拡散され、また、外パネル間に設けられた化粧パネルへの入射光もその化粧パネルにより拡散されて、内パネルおよび化粧パネルのそれぞれが陰影のない状態で全体に均一に明るくなり、屋内側に防眩性に優れる柔らかい光を充分に採り込むことができる。
【００２１】
また、外パネルの孔および外パネルと化粧パネル間に形成された隙間から侵入する風は、内パネルの表面に沿って上下方向に流れて、その内パネルと化粧パネル間に形成された隙間から屋内側に流れ込むため、風も充分に採り込むことができる。
【００２２】
さらに、内パネルは半透明であるため、夜間において、屋内の照明灯の光により内パネルに人物のシルエットが映し出されても、そのシルエットはぼんやりとしたものとなり、しかも、内パネルと外パネルとの間には間隔があるため、外パネルの孔を通して見えるシルエットはさらにぼんやりとしたものとなってプライバシーを侵害されるおそれは殆どない。
【図面の簡単な説明】
【００２３】
【図１】この発明に係る目隠しルーバーの実施の形態を示す一部切欠正面図
【図２】図１のII−II線に沿った断面図
【図３】図１のIII−III線に沿った断面図
【図４】外パネル、内パネル、化粧パネルおよびストリンガのそれぞれ一部分を示す分解斜視図
【図５】図１に示す目隠しルーバーの一つのコーナ部を拡大して示す一部切欠正面図
【図６】図５の一部切欠側面図
【図７】図５に示す上框、縦框およびその框を接続する接続具の分解斜視図
【発明を実施するための形態】
【００２４】
以下、この発明の実施の形態を図面に基づいて説明する。図１に示すように、方形状の枠体１は、対向一対の縦框２、２と、その一対の縦框２の上端部間にわたされた上框３および一対の縦框２の下端部間にわたされた下框４とからなる。
【００２５】
図７に示すように、縦框２は、ウェブ２ａの前後両側に対向一対のフランジ２ｂを形成した断面がコの字とされ、上記一対のフランジ２ｂの内面には上記ウェブ２ａに平行して平板状のリブ２ｃが形成され、そのリブ２ｃとウェブ２ａ間に挿入孔２ｄが設けられている。
【００２６】
一方、上框３は、ウェブ３ａの前後両側に対向一対のフランジ３ｂを形成した断面がコの字形とされ、上記ウェブ３ａの下側内面にはねじ孔３ｃが形成されたリブ３ｄが設けられている。ウェブ３ａの前後方向の幅寸法は縦框２の前後方向の幅寸法より大きくなっている。
【００２７】
図５および図６に示すように、上框３は、その下面両端部が縦框２の上端面に重なり、一方のフランジ３ｂが縦框２の一方のフランジ２ｂと同一面を形成する組み合わせとされ、接続具５を介して結合される。ここで、接続具５は、図７に示すように、上框３の両端開口を閉塞する閉塞板部５ａに挿入片部５ｂを設けた構成とされ、上記挿入片部５ｂは縦框２の挿入孔２ｄに差し込まれ、上框３の両端に衝合されてその端部開口を閉塞する閉塞板部５ａをリブ３ｄのねじ孔３ｃにねじ込まれるビス６を締め付けることによって縦框２と上框３は連結される。
【００２８】
なお、下框４は、図ではその詳細を省略したが、上框３と同一の断面形状とされ、その上框３と上下対象の配置となるようにして一対の縦框２の下端面間に渡され、図７に示す接続具５を介して縦框２に結合される。
【００２９】
図１乃至図３に示すように、枠体１の内側には上下方向に長く延びる左右一対のストリンガ１０が組込まれている。図４に示すように、ストリンガ１０は、断面がコの字とされて対向する一対のパネル支持板１０ａを有する。このストリンガ１０は、パネル支持板１０ａの外周側面が前側に位置し、上下の両端部が上框３の一対のフランジ３ｂ間および下框４のフランジ４ｂ間に位置する組込みとされ、上框３および下框４の後側のフランジ３ｂ、４ｂと衝合する重なり部がねじの締め付けにより固定されている。
【００３０】
図２および図４に示すように、ストリンガ１０の対向する一対のパネル支持板１０ａには、取付け状態における前面に複数の係合突片１１が上下方向に等間隔に形成され、隣接する係合突片１１間に切欠部１２が設けられている。
【００３１】
係合突片１１の上下面における前側には、前面と滑らかに連続する凸円弧状の案内面１３が形成されている。一方、係合突片１１間に形成された切欠部１２の上下面の後部には係合溝１４が設けられている。また、切欠部１２の閉塞端面には嵌合凹部１６が形成され、その嵌合凹部１６の上下端に円弧状面１７が設けられている。
【００３２】
また、パネル支持板１０ａには、係合突片１１の背部に、上下方向に長く延びるスロット１５が形成され、そのスロット１５の上下両端間の長さは係合突片１１の上下方向の長さとほぼ等しくされて、上下両端部が係合溝１４の後方に位置している。また、スロット１５は上下方向に湾曲して上下端の中央部が上下両端より前側に位置している。
【００３３】
一対のストリンガ１０の左右で対向する係合突片１１間には外パネル２０が渡されている。外パネル２０は、パンチングメタルから形成されて、千鳥状に配置された多数の孔２１を前面に有し、その上下の側縁には後方に向く一対のフランジ２２が形成され、各フランジ２２の後端に内向きの折曲げ片２３が設けられている。この外パネル２０は一対の縦框２のリブ２ｃの対向内面間にわたる長さとされている。
【００３４】
上記外パネル２０は、ストリンガ１０が枠体１内に取付けられる前段において、一対のストリンガ１０に組付けられる。その組付けに際しては、一対のストリンガ１０が平行に配置される状態において、左右で対向する係合突片１１の上下の案内面１３に内向きの折曲げ片２３の先端を当接して押し込むようにする。その押込みにより、内向きの折曲げ片２３の先端が案内面１３に案内されて、一対のフランジ２２が外方に弾性変形し、その一対のフランジ２２間に係合突片１１が納まるまで外パネル２０を押し込むことにより、一対のフランジ２２が形状復元して、内向き折曲げ片２３が案内面１３の後部に係合する。その係合によって外パネル２０は取付け状態とされる。
【００３５】
ストリンガ１０の切欠部１２内には、化粧パネル３０が組込まれ、また、スロット１５には内パネル４０が挿入されている。
【００３６】
化粧パネル３０は、断面がコの字形のパネル本体３１の両端部に外向きのフランジ３２を設け、その各フランジ３２の内端に断面円弧状の通風ガイド片３３を設けた構成とされ、光拡散性を有する樹脂板からなっている。
【００３７】
ここで、光拡散性を有する樹脂板とは、樹脂成形されたパネルの表面に、シボ加工やローレット加工、研摩加工、艶消し等の光拡散処理を施した半透明の樹脂板、あるいは、光拡散材が混合された樹脂の押出し成形等による成形品をいう。
【００３８】
化粧パネル３０は、外パネル２０と同一の長さとされている。この化粧パネル３０は、外パネル２０がストリンガ１０に組み付けられる前段に、そのストリンガ１０に組み付けられる。
【００３９】
その化粧パネル３０の組付けに際しては、化粧パネル３０の左右両端部を一対のストリンガ１０のそれぞれに形成された切欠部１２に嵌合し、かつ、上下のフランジ３２の左右両端部を係合溝１４に嵌合し、さらに、嵌合凹部１６に通風ガイド片３３を嵌合し、その通風ガイド片３３を嵌合凹部１６の上下の円弧状面１７に接触させるようにする。
【００４０】
内パネル４０は、外パネル２０と同一の長さとされている。また、内パネル４０は、両側縁間の幅方向中央部が外方に位置する湾曲状とされて、スロット１５に沿う形状とされ、前述の化粧パネル３０と同様に、光拡散性を有する樹脂板からなっている。
【００４１】
なお、内パネル４０は、平板とし、スロット１５に対する挿入により、そのスロット１５の形状に沿うよう弾性変形させるようにしてもよい。
【００４２】
実施の形態で示す目隠しルーバーは上記の構造からなり、その目隠しルーバーの組立てに際しては、一対のストリンガ１０、外パネル２０、化粧パネル３０および内パネル４０のパネル組立体を予め形成する。
【００４３】
そのパネル組立体の形成に際しては、先ず、化粧パネル３０の両端部を一対のストリンガ１０の切欠部１２に嵌合して、通風ガイド片３３を嵌合凹部１６の円弧状面１７に接触させ、また、内パネル４０の両端部をストリンガ１０のスロット１５に嵌合する。
【００４４】
化粧パネル３０および内パネル４０の組付け後、一対のストリンガ１０の間隔を調整し、その調整後、一対のストリンガ１０の左右で対向する係合突片１１の上下の案内面１３に外パネル２０の内向きの折曲げ片２３の先端を当接して、外パネル２０を押し込むようにする。
【００４５】
外パネル２０の押し込みにより、内向きの折曲げ片２３の先端が案内面１３に案内されて、一対のフランジ２２が外方に弾性変形し、一対のフランジ２２間に係合突片１１が納まるまで外パネル２０を押し込むことにより、一対のフランジ２２が形状復元して、上記内向き折曲げ片２３が案内面１３の後部に係合し、その係合により、外パネル２０は組付け状態とされて、複数の外パネル２０が上下方向に等間隔に並び、隣接する外パネル２０の対向部間に化粧パネル３０が配置され、複数の外パネル２０の背部に間隔をおいて内パネル４０が配置され、その内パネル４０と外パネル２０の上下の対向部間に化粧パネル３０のフランジ３２が配置されたパネル組立体が形成される。
【００４６】
上記のように、パネル組立体は、ストリンガ１０の切欠部１２に対する化粧パネル３０の端部の嵌合と、スロット１５に対する内パネル４０の端部の嵌合および係合突片１１に対する外パネル２０の押し込みによって組立てることができるため、パネル組立体を極めて簡単に組立てることができる。
【００４７】
上記のようなパネル組立体の形成後、一対の縦框２の下端部に接続具５を介して下框４の両端部を連結して３方枠を形成し、その３方枠の上部開口から内部に上記パネル組立体を落とし込み、３方枠の内部にパネル組立体が収容される状態で上框３の両端を縦框２の上端部に連結し、ストリンガ１０の上下両端部と上框３のフランジ３ｂの重なり部および下框４のフランジ４ｂの重なり部のそれぞれをビスのねじ込みにより固定することにより、目隠しルーバーが組立てられる。
【００４８】
なお、パネル組立体の形成後、そのパネル組立体の上下に上框３および下框４を沿わせて、一対の縦框２を取り付けるようにしてもよい。
【００４９】
上記の構成からなる目隠しルーバーは、窓の目隠し用として、あるいは、中・高層住宅の境界塀やベランダのフェンスとして用いる。
【００５０】
建屋における窓の目隠し用として用いる場合は、その窓の屋外側に設置する。その場合、内パネル４０が窓と対向する取付けとする。このとき、目隠しルーバーは、パンチングメタルからなる複数の外パネル２０のそれぞれ背部に半透明からなる内パネル４０が設けられ、隣接する外パネル２０間に半透明からなる化粧パネル３０が設けられているため、窓は完全に遮蔽されることになり、外部から屋内が覗き見されるようなことはない。
【００５１】
上記のような目隠しルーバーの取付け状態において、昼間においては、パンチングメタルからなる外パネル２０により入射光の多くが遮られることになり、その外パネル２０の孔から差し込む光は、光拡散性樹脂板からなる内パネル４０により拡散される。
【００５２】
このとき、外パネル２０と内パネル４０との間には間隔が設けられているため、外パネル２０に形成された孔２１を通過した光は拡散されて内パネル４０に入射し、その内パネル４０によって拡散される。このため、屋内から内パネル４０を見た際、上記孔２１の輪郭は殆ど映し出されず、内パネル４０は全体にわたって均一に明るくなる。
【００５３】
一方、半透明の樹脂からなる化粧パネル３０への入射光も、その化粧パネル３０により拡散され、その拡散によって化粧パネル３０も全体がほぼ均一に明るくなる。このため、内パネル４０および化粧パネル３０のそれぞれは陰影のない採光部を形成し、上記化粧パネル３０および内パネル４０のそれぞれから屋内側に防眩性を有する柔らかい光が充分に採り入れられることになる。
【００５４】
ここで、目隠しルーバーに向けて風が吹くと、その風は外パネル２０の孔２１および外パネル２０と化粧パネル３０との間に形成された隙間を通過して、内パネル４０の湾曲状の表面に沿って上下方向に流れ、化粧パネル３０に設けられた通風ガイド片３３に案内されて屋内側に向けて流れ込み、屋内に風が採り込まれることになる。
【００５５】
この場合、外パネル２０に形成された孔２１が必要以上に小さく、また、縦一列および横一列に並ぶ孔２１のピッチが大きく成り過ぎると、風の採り込みが不十分になるため、孔２１は内径がφ１ｍｍ〜φ１０ｍｍ程度とし、φ１ｍｍの孔２１の場合、ピッチを２ｍｍ程度とし、φ１０ｍｍの孔２１の場合、ピッチを１５ｍｍ程度とするのが好ましい。
【００５６】
ここで、図１に示すように、内パネル４０に複数のスリット群からなる透孔部４１を設けておくと、屋内側に多くの風を採り込むことができ、また、その透孔部４１および外パネル２０の孔２１を介して屋外の景色を見ることができる。
【００５７】
なお、透孔部４１はスリット群に限定されず、小孔群であってもよい。
【符号の説明】
【００５８】
１      枠体
２      縦框
３      上框
４      下框
１０    ストリンガ
１０ａ  パネル支持板
１１    係合突片
１２    切欠部
１３    案内面
１４    係合溝
１５    スロット
２０    外パネル
２１    孔
２２    フランジ
２３    内向き折曲げ片
３０    化粧パネル
３２    フランジ
３３    通風ガイド片
４０    内パネル
４１    透孔部
【図１】
2011006854.tif 000003
【図２】
2011006854.tif 000004
【図３】
2011006854.tif 000005
【図４】
2011006854.tif 000006
【図５】
2011006854.tif 000007
【図６】
2011006854.tif 000008
【図７】
2011006854.tif 000009